(57)【要約】      （修正有）【課題】鉢形食器の上縁部に係脱自在に取り付けできるおかず盛り付け用トレーを提供する。【解決手段】おかず盛り付け用トレーは、おかずを載置する１つ又は複数の区切り凹部が形成された皿本体１と、皿本体に設けられ、皿本体を鉢形食器５ａの上縁部に係脱自在に係止する係止手段と、を備える。係止手段は、皿本体の底面の少なくとも２カ所に設けられた小凸部からなる。皿本体の両側を押え込み、鉢形食器の上縁部に挟み込まれる一対の留め具６がさらに設けられる。皿本体は、鉢形食器の上縁部の形状に合わせた円弧形、又は鉢形食器の上縁部に掛け渡たせる長さの長四角形である。【選択図】図１５
2017153583.tif 000002
【特許請求の範囲】
【請求項１】
おかずを載置する１つ又は複数の区切り凹部が形成された皿本体と、
前記皿本体に設けられ、前記皿本体を鉢形食器の上縁部に係脱自在に係止する係止手段と、
を備えることを特徴とするおかず盛り付け用トレー。
【請求項２】
前記係止手段は、前記皿本体の底面の少なくとも２カ所に設けられる一対の小凸部であることを特徴とする請求項１に記載のおかず盛り付け用トレー。
【請求項３】
前記皿本体の両側を押え込み、前記鉢形食器の上縁部に挟み込まれる一対の留め具が、さらに設けられることを特徴とする請求項１に記載のおかず盛り付け用トレー。
【請求項４】
前記皿本体は、鉢形食器の上縁部の形状に合わせた円弧形、又は鉢形食器の上縁部に掛け渡たせる長さの長四角形であることを特徴とする請求項１に記載のおかず盛り付け用トレー。
【発明の詳細な説明】
【技術分野】
【０００１】
本発明は、おかず盛り付け用トレーに係り、より詳しくは、鉢形食器の上縁部に係脱自在に取り付けられ、載せた香辛料などのトッピングを好みに応じて投入できるおかず盛り付け用トレーに関する。
【背景技術】
【０００２】
ラーメンを作り続けてきた料理人として、また、ラーメンを食べる時に感じることは、チャーシューやメンマなどをトッピングすると、肝心のラーメンのスープがぬるくなってしまうこと、煮玉子の場合だとスープに味が移って、本来のスープの味が台無しになることがあげられる。レストランなどで小さな子供用のラーメンを注文すると、器そのものが小さいので、せっかく「野菜を多く食べさせてあげたい」と思っても、野菜でその他の具材が少量となる。ラーメンにトッピングを入れない場合は、テーブルがトッピングの皿だらけになることも見受けられる。料理はそれぞれの食材を含め１つの作品であり、ラーメンの器に更なる彩と利便性を求め、料理の横に置かれた調味料や各種の食材をラーメンの器の縁に載せて使用でき、味、温度、見た目の豪華さ、一体感をお客様に提供したいとの思いから本発明を提案するものである。
【０００３】
ラーメンは、中華麺とスープと様々な具（チャーシュー、メンマ、味付け玉子、刻みネギなど）を組み合わせた麺料理として知られる。ラーメンは、鉢形食器に盛り付けられ、具は中華麺とスープの上に所定の量が投入される。ゆずなどの香りを出すトッピングは、鉢形食器の中に投入せず、好みに応じて投入量や投入時期が自在にできることが望まれる。また、ラーメンとサラダあるいは餃子を食べるような場合、鉢形食器と一体形で提供することが望まれる。
【０００４】
特許文献１には、コーヒーカップの受け皿の縁に着脱可能で、ミルクの乗せ台となる補助具が提案されている。このような補助具を鉢形食器に連結することも考えられるが、クリップで留めるのでトレーが水平にはならず、また、トレーが離れているので、トッピングなどをどんぶり内に落し込みにくい。
【先行技術文献】
【特許文献】
【０００５】
【特許文献１】実開平７−３６８４３号公報
【発明の概要】
【発明が解決しようとする課題】
【０００６】
本発明の目的は、鉢形食器の上縁部に係脱自在に取り付けできるおかず盛り付け用トレーを提供することにある。
【課題を解決するための手段】
【０００７】
本発明によるおかず盛り付け用トレーは、おかずを載置する１つ又は複数の区切り凹部が形成された皿本体と、前記皿本体に設けられ、皿本体を鉢形食器の上縁部に係脱自在に係止させる係止手段と、を備えることを特徴とする。
【０００８】
前記係止手段は、前記皿本体の底面の少なくとも２カ所に設けられる一対の小凸部であることを特徴とする。
【０００９】
前記皿本体の両側を押え込み、前記鉢形食器の上縁部に挟み込まれる一対の留め具が、さらに設けられることを特徴とする。
【００１０】
前記皿本体は、鉢形食器の上縁部の形状に合わせた円弧形、又は鉢形食器の上縁部に掛け渡たせる長さの長四角形であることを特徴とする。
【発明の効果】
【００１１】
本発明によるおかず盛り付け用トレーによれば、（１）皿本体を鉢形食器の上縁部に取り付けるようにしたので、例えばラーメンの場合、各種トッピングやおかずをどんぶりに投入せずに盛り付けることができる。食べる人は、好みに応じてトッピングの投入量や投入時期を決めることができる。おかずがみずっぽくならず、一体感も出せる。（２）皿本体に係止手段を設けたので、皿本体を鉢形食器の上縁に係止させることができる。例えば、係止手段がなく皿本体の底部が平坦な場合、鉢形食器の上にバランスよく皿本体を設置できず、おかずの重さによっては皿本体が落下することがあるが、これを防止できる。（３）皿本体に、１つ又は複数の区切り凹部を形成したので、おかずの汁などがこぼれないようにできる。また、トッピングやおかずが混ざらないようにできる。
【００１２】
皿本体の底面に設けられた少なくとも２カ所からなる一対の小凸部の係止手段は、皿本体を鉢形食器の上にバランスよく係止させることができる。係脱も自在である。
【００１３】
皿本体の両側を押え込み、鉢形食器の上縁部に挟み込まれる一対の留め具を設けたので、皿本体を鉢形食器に留めて、皿本体が簡単には外れないようにできる。皿本体の係止手段だけでは、不用意な外力で外れることがあるが、これを防ぐことができる。
【００１４】
円弧形の皿本体は、鉢形食器の開口部を狭くしないので、食べる際、麺を取り出しやすい。また、トッピングなどを鉢形食器の中に落しやすい。さらに、鉢形食器を大きく見せることができる。長四角形の皿本体は、鉢形食器の上縁部に橋のように設置でき、皿本体を鉢形食器の上部に安定して設置できる。おかずが重い場合に、安定して盛り付けできる。
【図面の簡単な説明】
【００１５】
【図１】本発明によるおかず盛り付け用トレーの平面図である。実施例１
【図２】本発明によるおかず盛り付け用トレーの平面図である。実施例２
【図３】本発明によるおかず盛り付け用トレーの平面図である。実施例３
【図４】本発明によるおかず盛り付け用トレーの平面図である。実施例４
【図５】図４の正面図である。
【図６】図４の右側面図である。
【図７】本発明によるおかず盛り付け用トレーの平面図である。実施例５
【図８】図７の正面図である。
【図９】本発明による留め具の説明図（構成例１）である。
【図１０】図９の留め具の使用例である。
【図１１】本発明による留め具の説明図（構成例２）である。
【図１２】図１１の留め具の使用例である。
【図１３】本発明による留め具の説明図（構成例３）である。
【図１４】図１３の留め具の使用例である。
【図１５】本発明によるおかず盛り付け用トレーを鉢形食器の上縁部に取り付けた場合の斜視図である。
【図１６】本発明によるおかず盛り付け用トレーを鉢形食器の上縁部に取り付けた場合の斜視図である。（Ａ）は皿本体にカニを載せた場合、（Ｂ）は皿本体に寿司を載せた場合である。
【発明を実施するための形態】
【００１６】
以下、図を参照して、本発明によるおかず盛り付け用トレーを詳しく説明する。
【実施例１】
【００１７】
図１は、本発明によるおかず盛り付け用トレー１００（実施例１）の平面図である。皿本体１は、幅が約５ｃｍで、全体に円弧形に湾曲させている。材質はステンレスである。半径が約１０ｃｍの鉢形食器の上縁部に載せて使用し、弧の中心角度は約１２０度である。皿本体１には、４つの区切り凹部２が設けられる。複数の区切り凹部２は、各種のトッピングを盛り付けた場合、トッピングが混ざらないようにできる。区切り凹部２は浅いが、汁が皿からこぼれない。皿本体１の底面の２カ所には、１対の小凸部４ａが形成される。小凸部４ａは、鉢形食器の上縁部に皿本体１を置く際、皿本体１の中心を鉢形食器の上縁に係止できる。小凸部４ａは、鉢形食器の上縁部を挟み込む形になるので係止手段４である。皿本体１を水平に設置できる。小凸部４ａは、皿本体１の上面からプレスで形成でき、点線で示す箇所に設けられる。Ａ矢視図に示すように、小凸部４ａは、皿本体１の下方に突き出しているが、皿を洗う際に手などにぶつからないようするため、突き出し長さは小さい。小凸部４ａは、鉢形食器の上縁部の円弧線上の２箇所に設けた。これに限らず、鉢形食器の上縁部を嵌め込む円弧状の嵌め込み溝（図示せず）が、皿本体１の底部に形成されてもよい。係止手段４としての円弧状の嵌め込み溝は、さらに安定して、皿本体１を鉢形食器に係止できる。
【実施例２】
【００１８】
図２は、本発明によるおかず盛り付け用トレー１００（実施例２）の平面図である。皿本体１は、幅が約５ｃｍで、全体に円弧形に湾曲しており、鉢形食器の上縁部に載せて使用する。弧の中心角度は約９０度である。皿本体１には、３つの区切り凹部２が設けられる。皿本体１の底面の２カ所には１対の小凸部４ａが形成されている。小凸部４ａは、鉢形食器の上縁部に皿本体１を置く際、皿本体１の中心を鉢形食器の上縁に係止できる。小凸部４ａは、皿本体１の係止手段４でもある。
【実施例３】
【００１９】
図３は、本発明によるおかず盛り付け用トレー１００（実施例３）の平面図である。皿本体１は、幅が約５ｃｍで、全体に円弧状に湾曲しており、鉢形食器の上縁部に載せて使用する。弧の中心角度は約１２０度である。皿本体１は１つの大きな区切り凹部２が設けられる。区切り凹部２には、花びら模様の滑り止め突部３を設けた。区切り凹部２は、１つであり、その形も大きいので、カニや茹でた野菜など比較的大きなおかずを載せる場合に適している。滑り止め突部３は、トッピングが滑らずまた型崩れしないようにできる。皿本体１の底面の２カ所には１対の小凸部４ａが形成されている。小凸部４ａは、鉢形食器の上縁部に皿本体１を置く際の皿本体１の係止手段４になっている。
【実施例４】
【００２０】
図４は、本発明によるおかず盛り付け用トレー１００（実施例４）の平面図である。図５は図４の正面図である。図６は図４の右側面図である。図４〜６に示すように、皿本体１は長四角形で、縦が約５ｃｍ、横が約２２ｃｍである。鉢形食器の上縁部に載せて使用する。皿本体１には４つの区切り凹部２が設けられる。複数の区切り凹部２は、各種のトッピングやおかずを盛り付けた場合、互いに混ざらないようにできる。小凸部４ａは、鉢形食器の上縁部に皿本体１を置く際の皿本体１の係止手段４になっている。外形が長四角形の皿本体１は、鉢形食器の縁に橋のように掛け渡して設置できる。
【実施例５】
【００２１】
図７は、本発明によるおかず盛り付け用トレー１００（実施例５）の平面図である。図８は図７の正面図である。図７、８に示すように、皿本体１は長四角形で、縦が約５ｃｍ、横が約１７ｃｍである。鉢形食器の上縁部に載せて使用する。皿本体１には実施例４と同様に４つの区切り凹部２が設けられる。区切り凹部２は、実施例４と比較して小ぶりである。複数の区切り凹部２は、各種のトッピングなどが混ざらないようにできる。小凸部４ａは、鉢形食器の上縁部に皿本体１を置く際の皿本体１の係止手段４になっている。
【００２２】
図９は、本発明による留め具６の説明図（構成例１）である。図１０は、図９の留め具６の使用例である。食器５に皿本体１が係止され、留め具６で留め置かれている。図９、１０は、留め具６が円筒型留め具６ａの例で、図９には、正面図、平面図、右側面図、背面図、左側面図、底面図を示す。円筒型留め具６ａは、円筒下側を切り欠いており、鉢形食器５ａの上縁部を挟み込む。また、円筒の一端には、皿本体１を押さえ込む段部を設けている。図１０に示すように、円筒型留め具６ａは、皿本体１の長手方向の両端に上方向から取り付けられ、鉢形食器５ａの上縁部に皿本体１を留め置く。皿本体１には、係止手段４の小凸部４ａがあるが、大きな外力では外れやすい。留め具６によれば、皿本体１を鉢形食器５ａにしっかりと固定できる。
【００２３】
図１１は、本発明による留め具６の説明図（構成例２）である。図１２は、図１１の留め具６の使用例である。食器５に皿本体１が係止され、留め具６で留め置かれている。図１１は、留め具６が、２本足型留め具６ｂの例であり、正面図、平面図、右側面図、背面図、左側面図、底面図を示す。２本足型留め具６ｂは、上方向から取り付けられ、足の部分で鉢形食器５ａの上縁部を挟み込む。足には皿本体１の一側を押さえ込む段部が設けられている。図１２に示すように、２本足型留め具６ｂは、皿本体１の長手方向の両端に取り付けられ、鉢形食器５ａの上縁部に皿本体１を動かないように留め置くことができる。２本足型留め具６ｂの２本足は、脚部に弾性を持たせて互いに外側に拡がるようにできる。これによれば、弾性がない場合に比べて、鉢形食器５ａの上縁部に、留め具をきつく挟み込むことができる。
【００２４】
図１３は、本発明による留め具６の説明図（構成例３）である。図１４は、図１３の留め具６の使用例である。食器５に皿本体１が係止され、留め具６で留め置かれている。図１３は、留め具６が、木の実型留め具６ｃの例であり、正面図、平面図、右側面図、背面図、左側面図、底面図を示す。木の実型留め具６ｃは、下側の溝の部分で鉢形食器５ａの上縁部を挟み込む。また上部には皿本体１の一側を押さえ込む段部が設けられている。図１４に示すように、木の実型留め具６ｃは、皿本体１の長手方向の両端に上方向から取り付けられ、鉢形食器５ａの上縁部に皿本体１を動かないように留め置くことができる。なお、留め具６は、ステンレスまたは樹脂で製作できるが、磁性体（例：磁石）としてもよい。磁性体とした場合は、鉢形食器が金属の場合、吸着により皿本体１を鉢形容器に簡単に留め置くことができる。
【００２５】
図１５は、本発明によるおかず盛り付け用トレー１００を鉢形食器５ａの上縁部に取り付けた斜視図である。図１５のおかず盛り付け用トレー１００は、皿本体１と、係止手段４と、留め具６と、を備える。図１５のおかず盛り付け用トレー１００は、実施例１のもので、全体に円弧形に湾曲しており、鉢形食器５ａの上縁部に取り付けられる。鉢形食器５ａは、いわいるどんぶり形状で、鉢形食器５ａには、中華麺８が盛り付けられている。皿本体１には、トッピングやおかず（符号７）が盛り付けられている。
【００２６】
図１６は、本発明によるおかず盛り付け用トレー１００を鉢形食器５ａの上縁部に取り付けた場合の斜視図である。（Ａ）は皿本体１にカニを載せた場合、（Ｂ）は皿本体１に寿司を載せた場合である。
【産業上の利用可能性】
【００２７】
本発明によれば、鉢形食器の上縁部にトッピングやおかずを盛り付けることができる盛り付け用トレーとして好適である。
【符号の説明】
【００２８】
１    皿本体
２    区切り凹部
３    滑り止め突部
４    係止手段
４ａ    小凸部
５    食器
５ａ    鉢形食器
６    留め具
６ａ    円筒型留め具
６ｂ    ２本足型留め具
６ｃ    木の実型留め具
７    トッピング又はおかず
８    中華麺
１００    おかず盛り付け用トレー
【図１】
2017153583.tif 000003
【図２】
2017153583.tif 000004
【図３】
2017153583.tif 000005
【図４】
2017153583.tif 000006
【図５】
2017153583.tif 000007
【図６】
2017153583.tif 000008
【図７】
2017153583.tif 000009
【図８】
2017153583.tif 000010
【図９】
2017153583.tif 000011
【図１０】
2017153583.tif 000012
【図１１】
2017153583.tif 000013
【図１２】
2017153583.tif 000014
【図１３】
2017153583.tif 000015
【図１４】
2017153583.tif 000016
【図１５】
2017153583.tif 000017
【図１６】
2017153583.tif 000018
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
鉢形容器に取り付けられるおかず盛り付け用トレーであって、
おかずを載置する１つ又は複数の区切り凹部が形成され、前記鉢形食器の上縁部の形状に合わせた円弧形、又は鉢形食器の上縁部に掛け渡たせる長さの長四角形の形状を有する皿本体と、
一対の小凸部が、前記皿本体の底面の２カ所に設けられ、前記皿本体を鉢形食器の上縁部に係脱自在に係止する係止手段と、
前記皿本体の両側を段部で上から押え込み、前記鉢形食器の上縁部を挟み込む一対の留め具と、
を備えることを特徴とするおかず盛り付け用トレー。
【請求項２】
前記皿本体は、前記区切り凹部に滑り止め突部が設けられることを特徴とする請求項１に記載のおかず盛り付け用トレー。
【手続補正２】
【補正対象書類名】明細書
【補正対象項目名】０００７
【補正方法】変更
【補正の内容】
【０００７】
本発明によるおかず盛り付け用トレーは、鉢形容器に取り付けられるおかず盛り付け用トレーであって、おかずを載置する１つ又は複数の区切り凹部が形成され、前記鉢形食器の上縁部の形状に合わせた円弧形、又は鉢形食器の上縁部に掛け渡たせる長さの長四角形の形状を有する皿本体と、一対の小凸部が、前記皿本体の底面の２カ所に設けられ、前記皿本体を鉢形食器の上縁部に係脱自在に係止する係止手段と、前記皿本体の両側を段部で上から押え込み、前記鉢形食器の上縁部を挟み込む一対の留め具と、を備えることを特徴とする。
【手続補正３】
【補正対象書類名】明細書
【補正対象項目名】０００８
【補正方法】変更
【補正の内容】
【０００８】
前記皿本体は、前記区切り凹部に滑り止め突部が設けられることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】